(57)【要約】【課題】医療従事者がそれぞれの立場において、複数患者の中からそれぞれが対応すべき優先順位の高い患者を簡単に抽出する為の評価画面生成システムを提供することを目的とする。【解決手段】評価画面生成システムは、複数の個体を評価する第１評価項目と第２評価項目の入力に基づいて前記第１評価項目もしくは前記第２評価項目の所定期間における前記個体ごとの時間的な変化率を表す経時変化率を算出する経時変化率算出部１２と、前記第１評価項目を縦軸とし、前記第２評価項目を横軸とし、複数の前記個体を個体マークで表示し、各前記個体マークと同一画面上に各前記個体マークに対応する前記経時変化率に基づいた経時変化を表示する評価画面を生成する評価画面生成部１３を備える。【選択図】図５
2014140521.tif 000002
【特許請求の範囲】
【請求項１】
複数の個体を評価する第１評価項目と第２評価項目の入力に基づいて前記第１評価項目もしくは前記第２評価項目の所定期間における前記個体ごとの時間的な変化率を表す経時変化率を算出する経時変化率算出部と、
前記第１評価項目を縦軸とし、前記第２評価項目を横軸とし、複数の前記個体を個体マークで表示し、各前記個体マークと同一画面上に各前記個体マークに対応する前記経時変化率に基づいた経時変化を表示する評価画面を生成する評価画面生成部を備える
評価画面生成システム。
【請求項２】
前記評価画面生成部は、前記個体マークの内側に前記経時変化を表示し、
前記経時変化は、前記経時変化率に応じた傾きを持った直線又は折れ線からなる傾向線である
請求項１記載の評価画面生成システム。
【請求項３】
前記経時変化率算出部は、複数の前記個体に対する前記経時変化率の最大値に基づいて前記複数の個体の前記傾向線の傾きを補正する
請求項２記載の評価画面作成システム。
【請求項４】
前記個体マークの外周部を曲線として表現する請求項２又は３のいずれか１項に記載の評価画面生成システム。）
【請求項５】
前記傾向線は、前記第１評価項目に対する第１傾向線と、前記第２評価項目に対する第２傾向線とを含み、
前記評価画面生成部は、前記第１傾向線と前記第２傾向線との色とが異なる配色とする
請求項２から４のいずれか１項に記載の評価画面生成システム。
【請求項６】
前記評価画面生成部は、前記第１評価項目に関する評価軸と前記第１傾向線との色を同一の第１配色とし、前記第１評価項目に関する評価軸と前記第２傾向線との色を第１配色とは異なる第２配色とする
請求項５記載の評価画面生成システム。
【請求項７】
前記評価画面生成部は、複数の前記個体マークが重なる場合に前記経時変化率に基づいて前記個体マークの表示順位を決定する
請求項１から６のいずれか１項に記載の評価画面生成システム。
【請求項８】
前記評価画面生成部は、前記評価画面において第１個体マークを含む複数の前記個体マークが重なる場合、前記第１個体マークの外周部に接する他の前記個体マークの背景部の色と、前記第１個体マークの背景部の色とが異なる配色とする
請求項１から７のいずれか１項に記載の評価画面生成システム。
【請求項９】
前記評価画面生成部は、医療従事者が前記個体マークを選択した入力を受け付けた際に、前記個体マークを表示する層を最下位に移動する
請求項７又は８に記載の評価画面生成システム。
【請求項１０】
前記評価画面生成部は、医療従事者が前記個体マークを選択した入力を受け付けた際に、前記個体マークの外周部の形状もしくは背景部の色を変化する
請求項１から９のいずれか１項に記載の評価画面生成システム。
【請求項１１】
前記評価画面を閲覧する医療従事者の属性を識別する医療従事者識別部を備え、
前記評価画面生成部は、前記医療従事者の属性が予め定められた属性の場合のみ、前記個体マークの外周部の形状もしくは背景部の色を変化する
請求項１０記載の評価画面生成システム。
【請求項１２】
前記評価画面を閲覧する医療従事者の属性を識別する医療従事者識別部を備え、
前記評価画面生成部は、前記医療従事者が前記個体マークを選択した入力を受け付けた際に、前記属性に応じた患者詳細画面へ遷移する
請求項１から１０のいずれか１項に記載の評価画面生成システム。
【請求項１３】
前記個体は患者である
請求項１から１２のいずれか１項に記載の評価画面生成システム。
【請求項１４】
前記第１評価項目と前記第２評価項目は、生体情報もしくは日常行動もしくは疾病知識である
請求項１から１３のいずれか１項に記載の評価画面生成システム。
【発明の詳細な説明】
【技術分野】
【０００１】
本発明は、複数の対象患者の病状の評価を行う画面を生成するシステムに関する。
【背景技術】
【０００２】
近年、医療従事者が患者の疾病発症リスクを判断するために、検診データや問診データなどに基づいた患者の健康状態データを表示する手段が開発されている。
従来の評価画面生成システムは、複数の患者に対する健康状態の表示方法として、血圧や血糖値などの生体情報を軸として患者状態を散布図で表示している（例えば、特許文献１参照。）。
【先行技術文献】
【特許文献】
【０００３】
【特許文献１】特開２００９−２７３５５８号公報（第１５頁、図１３Ａ及び図１３Ｂ）
【発明の概要】
【発明が解決しようとする課題】
【０００４】
医療従事者は、通常、管理する患者が複数おり、それぞれの患者の疾病発症リスクを管理しそれぞれの重症度に応じて優先順位をつけて対応する必要がある。また、ある時点で同じ重症度であっても、症状が悪化しているのか改善しているのか、又は急速に症状が変化しているのか否かによっても異なる対応をとる必要がある。また、医療従事者の中には、医師、看護師、および介護関係者などの、異なる立場が存在し、この医療従事者の立場によって確認したい患者状態が異なる。
【０００５】
しかしながら、前記従来の構成では、所定時点における患者の生体情報、もしくは所定期間の患者の生体情報の平均値を表示している為、医療従事者が生体情報の近い複数患者の中から健康状態が悪化傾向にあるのか改善傾向にあるのか、又はその進行速度を判断し難いという課題を有していた。これは、医療従事者が医療行為を効率的に行う上での課題となり、また重症化する患者への対応が遅延する可能性があるという課題がある。
【０００６】
本発明は、前記従来の課題を解決するもので、医療従事者がそれぞれの立場において、複数患者の中からそれぞれが対応すべき優先順位の高い患者を簡単に抽出する為の評価画面生成システムを提供することを目的とする。
【課題を解決するための手段】
【０００７】
前記従来の課題を解決するために、本発明の評価画面生成システムは、複数の個体を評価する第１評価項目と第２評価項目の入力に基づいて第１評価項目もしくは第２評価項目の所定期間における個体ごとの時間的な変化率を表す経時変化率を算出する経時変化率算出部と、第１評価項目を縦軸とし、第２評価項目を横軸とし、複数の個体を個体マークで表示し、各個体マークと同一画面上に各個体マークに対応する経時変化率に基づいた経時変化を表示する評価画面を生成する評価画面生成部を備える構成としたものである。
【発明の効果】
【０００８】
本発明の評価画面生成システムによれば、医療従事者が、複数の患者の中からそれぞれが対応すべき優先順位の高い患者を簡単に抽出する事が可能となり、更に医療従事者の立場に応じて、患者を適切に管理することができる。
【図面の簡単な説明】
【０００９】
【図１】本発明の実施の形態１における評価画面生成システムの構成図
【図２】（ａ）（ｂ）はそれぞれ本発明の実施の形態１における患者データの一例を示す図
【図３】本発明の実施の形態１におけるユーザの事前登録データの一例を示す図
【図４】本発明の実施の形態１における所定期間での患者５の生体情報の推移を示すグラフ
【図５】本発明の実施の形態１における評価画面生成部１３における評価画面５００を示す図
【図６】（ａ）、（ｂ）はそれぞれ本発明の実施の形態１における評価画面５００における個体マーク５０１の構成の一例を示す図
【図７】本発明の実施の形態１における医療従事者用クライアント装置３からサーバ装置１に評価画面５００を閲覧する要求があったときの処理フローを示す図
【図８】本発明の実施の形態１における評価画面５００における評価項目の構成を示す図
【図９】本発明の実施の形態１における評価画面５００における個体マーク５０１にマウスカーソルを置いた状態を示す図
【図１０】本発明の実施の形態１における評価画面５００における個体マーク５０１が重なった場合の概念斜視図を示す図
【図１１】本発明の実施の形態１における評価画面５００における個体マーク５０１をマウスで選択したあとの評価画面５００
【図１２】本発明の実施の形態１における評価画面５００における個体マークを複数個選択した状態を示す図
【図１３】本発明の実施の形態１における医師６が参照する患者詳細画面を示す図
【図１４】本発明の実施の形態１における看護師７が参照する患者詳細画面を示す図
【図１５】本発明の実施の形態１における介護関係者８が参照する患者詳細画面を示す図
【図１６】本発明の実施の形態１における患者詳細画面へ遷移するときのサーバ装置１の処理フローを示す図
【発明を実施するための形態】
【００１０】
以下に、本発明の評価画面生成システムの実施の形態を図面とともに詳細に説明する。ここで日常行動とは、食習慣(食事量、炭水化物・脂質・たんぱく質・野菜・果物などの栄養バランス、塩分摂取量など)、運動習慣（運動強度、運動時間、運動頻度など）、休養（睡眠時間、睡眠の深さ、休息時間）、喫煙、飲酒等に代表される生活する上での行動を表す。また、生活習慣病とは、日常行動が発症・進行に深く関与している疾患の総称であり、例えば糖尿病(１型糖尿病を除く)、脂質異常症（家族性脂質異常症を除く）、高血圧、肥満がある。
【００１１】
また、ここでの生体情報(Ｖｉｔａｌ  Ｓｉｇｎｓ)とは、患者の健康状態を示す情報であり、例えば、血圧、血糖、体重、血中酸素飽和度（Ｂｌｏｏｄ  Ｏｘｙｇｅｎ  Ｓａｔｕｒａｔｉｏｎ）、体温、尿糖、ヘモグロビンＡ１Ｃ、内膜中膜複合体厚（ＩＭＴ：Ｉｎｔｉｍａ−ｍｅｄｉａ  ｔｈｉｃｋｎｅｓｓ）、心拍、脈拍、などがある。
さらに、患者とは生活習慣病に罹患した人を含む、生活習慣状態を医療従事者に管理される人を表し、医療従事者とはこの患者の健康状態を改善する為の医療に従事する医師又は看護師、介護関係者などの人を表す。
本発明の実施の形態では、生活習慣病として高血圧を、生体情報としては血圧を、日常行動としては運動を一例として説明するが、これに限定するものではない。
以下に、本発明の評価画面生成システムの実施の形態を図面とともに詳細に説明する。
（実施の形態１）
図１は、本発明の実施の形態１における評価画面生成システムの構成図を示す。
【００１２】
図１において、患者５の日常行動、生体情報などを保存・収集するサーバ装置１と、患
者５が日常行動、生体情報などを入力および参照する患者用クライアント装置２と、医療従事者が患者５の日常行動および生体情報を参照し、患者に対する連絡を行う医療従事者用クライアント装置３が存在し、サーバ装置１と患者用クライアント装置２と医療従事者用クライアント装置３はネットワーク４を介して接続している。ここで、評価画面生成システムとはサーバ装置１のみを指してもよいし、サーバ装置１と患者用クライアント装置２及び医療従事者用クライアント装置３をあわせて評価画面生成システムと呼んでもよい。
【００１３】
なお医療従事者とは、医療従事者用クライアント装置３を使用する方で、その属性に応じて例えば、医師６、看護師７、および介護関係者８が存在する。医師６、看護師７は、患者の健康状態を改善する為の医療に従事し、さらに介護関係者８は患者の生活行動を支援する介護に関する活動を行う。
【００１４】
まず、患者用クライアント装置２について説明する。患者５は、患者５の生体情報を生体情報入力部２１に対して入力し、患者５の日常行動を日常行動入力部２２に対して入力する。ここで、評価項目とは、医療従事者が患者の病状を判断するための基礎情報となる項目であり、ここでは、生体情報入力部２１に入力される生体情報もしくは日常行動入力部２２に入力される日常行動のいずれかを表すがこれらに限られないし、評価項目は単数であっても複数であってもよい。また、評価項目入力部とは、評価項目に対する情報の入力を受け付ける部分であり、ここでは生体情報入力部２１もしくは日常行動入力部２２のいずれかを表す。
【００１５】
生体情報入力部２１は、患者５が定期的に測定した患者５の生体情報に関する入力を受け付ける。一例としては、血圧計で測定した最高血圧、最低血圧、脈拍などの生体情報測定機器による測定結果の入力を受け付ける。入力は、キーボードやタッチパネルを介して生体情報入力部２１に測定結果を入力してもよいし、生体情報測定機器を生体情報入力部２１と有線又は無線により接続してデータを送信し、入力してもよい。生体情報のさらに異なる一例としては、患者５の息切れの状態に関する質問（問診）を生体情報入力部２１に接続される第２表示部２８に表示し、その質問に対する少なくとも２つ以上からなる選択肢、例えば息切れの有と無に対する回答や、息切れの頻度やその息切れの発生する身体活動状態などを数値で表す回答（問診結果）があげられる。
【００１６】
日常行動入力部２２は、患者５の日常行動に関する入力を受け付ける。一例としては、歩数計で測定した患者５の一日の歩数などの日常行動に関する測定機器による測定結果の入力を受け付ける。もう一例としては、患者５の塩分摂取量に関する質問（問診）を日常行動入力部２２に接続される第２表示部２８に表示し、その質問に対する少なくとも２つ以上からなる選択肢に対する回答や数値回答（問診結果）があげられる。
【００１７】
第２制御部２５は、生体情報入力部２１と日常行動入力部２２に接続し、更に第２表示部２８に接続し、生体情報入力部２１又は日常行動入力部２２が受け付ける生体情報又は日常行動を第２表示部２８へ表示し、患者５の生体情報又は日常行動の入力確認を行う。また、第２制御部２５に接続される記憶部（図示せず）に保存される過去の入力に対するデータを読み込み、第２表示部２８に表示してもよい。この記憶部は、患者用クライアント装置２に備えられ又は接続されていてもよいし、サーバ装置１が備える第１記憶部１６であってもよい。第２制御部２５は第２通信部２７と接続し、生体情報入力部２１又は日常行動入力部２２がそれぞれ入力データを受け付けると、第２通信部２７から患者５の生体情報または日常行動に関する情報を、ネットワーク４を介してサーバ装置１へ送信する。第１通信部１７は、第２通信部２７から入力データを受信し、第１制御部１５がそのデータを第１記憶部１６へ保存する。図２は、第１記憶部１６へ保存する患者データの一例である。患者５ごとに振り分けたＩＤと、患者５ごとに測定日と、生体情報、日常行動な
ど各項目の測定又は問診結果を対応付けて保存している。
【００１８】
ここで患者５は複数人存在しおり、各々の患者５が患者用クライアント装置２を使用し、定期的、例えば毎日の生体情報又は日常行動に関する測定結果又は問診結果を入力している。
【００１９】
次にサーバ装置１について説明する。第１通信部１７は、生体情報入力部２１又は日常行動入力部２２が受け付け、第２通信部２７から送信された患者５の生体情報又は日常行動に関する情報を受信し、第１制御部１５を介して、第１記憶部１６に患者５の生体情報又は日常行動に関する情報を保存する。これにより、第１記憶部１６は、複数の患者５に対する生体情報又は日常行動に関する情報を収集して例えば図２のようなデータとして保存・管理する。なお、ここでは第１記憶部１６はサーバ装置１内に存在するメモリであるが、サーバ装置１に接続される記憶装置であってもよい。
【００２０】
医療従事者用クライアント装置３からネットワーク４を介してサーバ装置１へ接続を行うユーザは、ユーザが医療従事者の内で医師６、看護師７、または介護関係者８のいずれなのかを設定し、第１記憶部１６に事前登録しておいてもよい。図３は、第１記憶部１６へ保存するユーザの事前登録データの一例である。ユーザＩＤと、そのユーザの医療従事者区分を対応付けて保存している。ここでは、医療従事者区分は例えば医師、看護師、介護関係者である。
【００２１】
医療従事者識別部１１は第１制御部１５と接続し、医療従事者用クライアント装置３からの接続要求を第１制御部１５が受けた際、医療従事者識別部１１は図３に示したような第１記憶部１６の事前登録データを参照して、接続要求を行ったユーザのＩＤを確認し、そのＩＤに対応付けられている医療従事者区分を参照して接続要求を行ったユーザが医師６、看護師７、または介護関係者８のいずれかを識別する。医療従事者識別部１１がある場合は、医療従事者用クライアント装置３を使用する医療従事者の条件によって、医療従事者用クライアント装置３へ送信するデータ内容を制御することができ、医療従事者用クライアント装置３を使用する医療従事者の立場によって画面設定などの変更などもできるので好ましい。
【００２２】
経時変化率算出部１２は第１制御部１５と接続し、第１記憶部１６に保存した患者５の生体情報又は日常行動に関する情報に対して、現時点から所定時間（例えば１週間）さかのぼった範囲である所定期間での変化率を算出する。この所定期間での生体情報もしくは日常行動の変化率を生体情報、もしくは日常行動の経時変化率と定義する。ここで経時変化率の算出方法の一例として、所定期間における経過時間により変動する複数の値(生体情報又は日常行動)に対して、平均二乗誤差が最小となる近似直線を算出し、この所定期間における近似直線の傾きを経時変化率とする事がある。日常行動は、例えば１日の歩数又は運動時間などをデータとして近似直線を算出してもよいし、例えば問診の結果を点数化して、その点数をデータとして近似直線を算出してもよい。ここで、経時変化率の算出方法について図４を用いて説明する。
【００２３】
図４（ａ）は所定期間での患者５の生体情報の推移を示すグラフである。ここでは、所定期間４０１に対して生体情報の経時変化４０２を表示している。なお、ここでは、生体情報は例えば毎日１回ずつ計測するなど、離散的な値であるが、これらの値を直線でむすんだグラフとして表示している。第１制御部１５は、第１記憶部１６に保存した所定期間の患者５の生体情報や日常行動に関する情報を経時変化率算出部１２へ読み出す。さらに経時変化率算出部１２は、所定期間の開始時と終了時の生体情報を結んだ近似直線４０３を算出する。次に経時変化率算出部１２は、所定期間４０１における近似直線４０３の傾きを経時変化率として算出する。この算出方法は、計算量が少ない為、計算機の負担を低
減して、短時間で算出できる効果がある。
【００２４】
また経時変化率算出部１２における経時変化率の算出方法の他の一例を図４（ｂ）を用いて説明する。ここでは、所定期間４０１に対して生体情報の経時変化４０４を表示している。経時変化率算出部１２は、経時変化４０４の測定結果に対して誤差が最小となる最小二乗法により近似直線４０５を算出する。次に経時変化率算出部１２は、所定期間４０１における近似直線４０５の傾きを経時変化率として算出する。この算出方法は、所定期間４０１の全ての測定結果に対して計算する為に計算量は多いが、経時変化率の精度は高く、医療従事者に正確な情報を提供できるという効果がある。
【００２５】
この所定期間は、予め設定されていてもよいし、後述する医療従事者用クライアント装置３の第３入力部３４で期間の設定について受け付け、第３制御部３５及び第３通信部３７を通じて、ネットワーク４を介して第１通信部１７へ伝達し、第１制御部１５を通じて経時変化率算出部１２で期間の設定について受け付け、設定してもよい。
【００２６】
評価画面生成部１３は第１制御部１５と接続し、生体情報もしくは日常行動のいずれか、もしくは両方を評価項目として複数の患者５を評価するための画面である評価画面のデータを生成する。この評価画面データを医療従事者用クライアント装置３に表示することにより、医療関係者が複数の患者の中から対応すべき優先順位の高い患者、例えば重症化するリスクの高い患者５を抽出する作業を支援する。なお評価画面生成部１３が生成する評価画面データを、図５を用いて詳細に後述する。
【００２７】
次に医療従事者用クライアント装置３について説明する。医療従事者は、医療従事者用クライアント装置３を使用して、サーバ装置１に保存する患者５の生体情報や日常行動に関する情報を参照する。第３入力部３４は、医療従事者が医師６、看護師７、または介護関係者８のいずれかを示すユーザＩＤおよびパスワードの入力を受け付ける。第３制御部３５は、第３入力部３４と接続し、この受け付けた情報を第３通信部３７とネットワーク４を介して、サーバ装置１へ送信する。
【００２８】
サーバ装置１は、受信した情報を元に、前述した医療従事者識別部１１、経時変化率算出部１２、評価画面生成部１３が各部の処理を行い、評価画面生成部１３において図５に示すような評価画面５００のデータを生成する。
【００２９】
医療従事者用クライアント装置３は、サーバ装置１の評価画面生成部１３が生成し、第１制御部１５及び第１通信部１７を介して出力される評価画面５００のデータを第３通信部３７が受信し、第３制御部３５と接続する第３表示部３８が評価画面５００を表示する。なお、第３入力部３４は、医療従事者が閲覧する評価画面５００の設定変更なども受付ける事が可能であり、第３表示部３８は、その入力により決定される表示設定に基づいた評価画面５００を表示する。
【００３０】
図５は、本発明の実施の形態１における評価画面５００を示す。この評価画面５００は、サーバ装置１の評価画面生成部１３が生成した評価画面データが、ネットワーク４を介して医療従事者用クライアント装置３の第３表示部３８に表示されている状態を表す。評価画面５００により、医療従事者が、複数の患者５の中から対応すべき優先順位の高い患者、例えば重症化するリスクが高い患者を評価および抽出することができる。医療従事者は、評価画面５００において、第１評価項目として縦軸５１３の大分類５１１ａと詳細分類５１２ａ、および第２評価項目として横軸５１４の大分類５１１ｂと詳細分類５１２ｂを複数の項目から選択する事が可能である。
【００３１】
医療従事者が選択する大分類５１１ａと詳細分類５１２ａ、および大分類５１１ｂと詳
細分類５１２ｂは、第３入力部３４が受付け、第３制御部３５を介して第３通信部３７が、ネットワーク４を通じてサーバ装置１へ選択した内容を送信する。第１制御部１５がその選択した内容を第１通信部１７を介して受け付け、第１制御部１５がその選択した分類に関する生体情報又は日常行動などのデータを第１記憶部１６から評価画面生成部１３に読み出し、評価画面生成部１３がその選択された大分類５１１ａと詳細分類５１２ａ、および大分類５１１ｂと詳細分類５１２ｂをそれぞれ縦軸５１３及び横軸５１４としたデータを生成する。
【００３２】
図５では、医療従事者が選択する横軸５１４と縦軸５１３の一例として、横軸５１４の大分類５１１ｂは“日常行動”を、詳細分類５１２ｂは“日常行動”の中の“運動”を、縦軸５１３の大分類５１１ａは“生体情報”を、詳細分類５１２ａを“生体情報”の中の“収縮期血圧”を選択しており、対象となる複数の患者５それぞれの第１記憶部１６に記録されている“運動”及び“収縮期血圧”データに基づいた位置に個体マーク５０１や５０２、５０３として表示している。ただし評価項目は、この限りではなく、選択された評価項目に応じたグラフが評価画面５００に表示される。ここで、固体マーク５０１や５０２、５０３の中心が、縦軸及び横軸の該当数値位置にくるように表示している。なお、ここでは評価軸とは、縦軸５１３もしくは横軸５１４を表す。ここで“運動”とは、歩数計により測定した歩数として説明するが、活動量計により測定した活動量、および活動量計で測定した運動による消費カロリーとしても良い。ここでは、縦軸はある一定期間に測定した収縮期血圧の平均値であり、横軸はある一定期間に歩いた歩数の一日分の歩数の平均値であるが、縦軸にある指定した日の収縮期血圧、横軸にその指定した日一日の歩数を表示してもよい。
【００３３】
なお本発明における個体とは、医療従事者が遠隔から複数の患者に対する患者状態を確認する在宅医療支援システムにおける「患者」を表現するが、広義にはリスクを評価する複数個の物体の中の一つの物体と定義する。さらに個体マークとは、前記個体を評価画面５００において表現する図形を表す。
【００３４】
図５では、医療従事者が選択した評価項目に対して、ある患者５の状態を個体マーク５０１として表示している。また更に患者５と異なる別の患者の状態を個体マーク５０２、および個体マーク５０３として表示し、評価画面５００において複数の患者の状態を個体マークとして表現する。
【００３５】
図６（ａ）は、本発明の実施の形態１における評価画面５００における個体マーク５０１の構成の一例を示す。個体マーク５０１は、個体マークの外側を表す外周部５０１ａと、個体マークの外周部５０１ａより内側に、経時変化を表す経時変化表示部５０１ｂと背景を表す背景部５０１ｃから成る。ここで、個体マークの経時変化表示部５０１ｂとして、評価画面５００における詳細分類５１２ａ（第１評価項目）若しくは詳細分類５１２ｂ（第２評価項目）に対する経時変化を、経時変化率に応じた傾きを持った直線として表現し、この直線を傾向線と定義する。例えば、近似直線４０３が傾向線となり、経時変化率が高い傾向線は、経時変化率が低い傾向線より大きい傾きをもった直線で表現される。なお、個体マーク５０１に表示される傾向線はサーバ装置１の経時変化率算出部１２が算出する経時変化を直線として外周部５０１ａ内に表示したものである。すなわち、経時変化率算出部１２が算出する経時変化率のデータに基づいて、評価画面生成部１３が傾向線データとこの傾向線データをもつ患者の詳細分類５１２ａ（第１評価項目）又は詳細分類５１２ｂ（第２評価項目）のある時点でのデータと合わせて、その個体マーク５０１の内側に経時変化が表示されるよう個体マーク５０１のデータを生成する。そして第３表示部３８に表示される。ここでの経時変化率は、患者５が定期的（例えば毎日）に測定した生体情報もしくは日常行動（例えば収縮期血圧）に対する所定期間（例えば１ヶ月間）での変化率である。
【００３６】
更に、評価画面生成部１３は、対象となる全ての患者５に対して経時変化率算出部１２が算出した経時変化率の最大値に基づいて、個体マークの経時変化表示部５０１ｂに表示する傾向線の傾きを補正してもよい。この処理を加える事により、経時変化率の最大値が小さく、個体マークの経時変化表示部５０１ｂにおける傾向線が水平線６０１に近い状態に集中する事を防止し、医療従事者が患者間での経時変化の差異を明確に識別できる効果がある。
【００３７】
更に、評価画面生成部１３は、経時変化率算出部１２が算出した経時変化率の最大値に対する傾向線の傾きを補正する際に、経時変化率が正の場合、個体マークの経時変化表示部５０１ｂと水平線６０１との角度６０２が、０度を超えて９０度未満とする。また、評価画面生成部１３は、経時変化率が負の場合、個体マークの経時変化表示部５０１ｂと水平線６０１との角度６０２が、９０度を超えて１８０度未満とする。
【００３８】
この処理を加える事により、傾向線の傾きが正の場合と負の場合を混同することなく表示する事が可能となり、医療従事者が傾向線の傾きの正負を正確に理解できる効果がある。
【００３９】
個体マークの内側に、医療従事者が選択した評価項目に対する経時変化を加える事により、仮に評価軸に対する値が同じであっても経時変化率の差異により、評価項目に対して所定期間の経時変化が増加傾向であるのか、減少傾向であるのか、またその変化の早さを容易に識別する事ができ、どの患者が重症化する可能性が高いかを医療従事者が判断する事が可能となる。また、経時変化が直線で表示されると、個体マーク同士の位置関係とそれぞれの個体マークの経時変化を一画面で視覚的に認識することができる。さらに、医療従事者の立場によって、注目すべき個体マーク同士の位置関係とそれぞれの個体マークの変化率の度合いが異なるが、個体マーク同士の位置関係とそれぞれの個体マークの変化率を一画面で視覚的に認識できることによって、医療従事者がそれぞれの立場において、複数患者の中からそれぞれが対応すべき優先順位の高い患者を簡単に抽出することができる。
【００４０】
なお、個体マークの内側に経時変化を表現する別方法として、経時変化率を数字で表現する方法又は傾向線を直線ではなく評価項目に対する経時変化を折れ線として表現する方法も考えられる。この折れ線とは、評価項目について所定期間のうちいくつかの入力値を線で結んだものでもよいし、所定の閾値を越える値を極値として、所定期間のうちいくつかの極値を線で結んだものでもよい。経時変化を傾向線で表現する事により、一つの個体マーク５０１を小さな領域とした際でも、評価項目に対して増加傾向か、減少傾向かを識別する事が容易となり、携帯電話やスマートフォンなどの画面表示が小さい機器において評価画面を表示した際にも有用である。
【００４１】
また個体マークの外周部５０１ａを円形または楕円形などの曲線のみで構成される形状とする事により、個体マークの経時変化表示部５０１ｂを直線又は折れ線からなる傾向線として表現する経時変化を曲線である外周部と識別する事が容易となり、医療従事者が複数の患者の中で重症化する可能性がある患者５を見逃す事を防止する効果がある。
【００４２】
図６（ｂ）は、本発明の実施の形態１における評価画面５００における個体マーク５０１のもう一つの表示例を示す。ここで、評価画面生成部１３は、評価画面５００における第１評価項目に対する経時変化の傾向線を、個体マークの第１経時変化表示部５０１ｅとして表現し、第２評価項目に対する経時変化率の傾向線を、個体マークの第２経時変化表示部５０１ｆとして表現する。ここでは、経時変化を傾向線で記載するため、第１経時変化表示部５０１ｅは第１傾向線表示部、第２経時変化表示部５０１ｆは第２傾向線表示部
ともよべる。この処理により、個体マークの内側に第１評価項目と第２評価項目の両方に対する増減傾向を表示する事が可能となり、医療従事者が一画面上で２つの評価項目に対する経時変化を簡単に把握することが可能となる。
【００４３】
また、評価画面生成部１３は、個体マーク５０１の第１経時変化表示部５０１ｅと第２経時変化表示部５０１ｆにおける色を異なった配色にする。更に、第１評価項目に関係する縦軸５１３の配色と個体マークの第１経時変化表示部５０１ｅの配色に同一色（例えば、黒色）とし、第２評価項目に関係する横軸５１４の配色と個体マークの第２経時変化表示部５０１ｆの配色に同一色（例えば、青色）とする。この処理により、医療従事者が、個体マークの経時変化が第１評価項目と第２評価項目のどちらを表現するかを識別する事が可能となり、医療従事者の業務効率化の効果がある。なお、本発明に関する以降の説明において、個体マークの構成は図６（ａ）の例を用いて説明するが、この限りではない。
【００４４】
ここで、図５の説明に戻る。図５の評価画面５００において、個体マーク５０１、個体マーク５０２および個体マーク５０３の表示が重なる場合が発生する。ここで、評価画面生成部１３が評価画面５００において個体マーク５０１を重ねて描画する場合、既に描画している個体マーク５０２および個体マーク５０３の背景部の色とは、異なった色により個体マーク５０１の背景部５０１ｃの色を決定する。この処理により、医療従事者が評価画面５００を閲覧する際に、個体マーク５０１と重なった他の個体マーク５０２などとが、別の患者を表す事を明示する事が出来、医療従事者が患者５を選択する際に異なった患者を選択する事を事前に防止する効果がある。
【００４５】
また、評価画面生成部１３は、評価画面５００の評価軸に対して医療従事者の立場によって異なる、注目すべき領域を視認しやすくするために、第１閾値５０５および第２閾値５０６を表示するように設定してもよい。また、サーバ装置１が医療従事者識別部１１を有する場合は、評価画面生成部１３は、閲覧するユーザを医療従事者識別部１１で識別した結果により、評価画面５００に表示するデータの種類を限定することもできる。すなわち、評価画面生成部１３は、医療従事者用クライアント装置３から接続要求があったときに、医療従事者識別部１１において医療従事者の第１記憶部１６の登録内容を参照して医療従事者用クライアント装置３の接続要求をしているユーザが医師６、看護師７、または介護関係者８のいずれかを識別し、その医療従事者識別部１１で識別した情報に基づいて評価画面生成部１３がそれぞれのユーザ向けの画面データを生成してもよい。
【００４６】
例えば、評価画面５００を閲覧する医療従事者が医師６であった場合、評価画面生成部１３は、評価画面５００における個体マークの全ての患者５に対して、患者５の生体情報および日常生活の詳細を閲覧する事を許可する設定とする。すなわち、医療従事者識別部１１で識別した結果により、接続要求を行ったユーザが医師のＩＤの者であった場合、評価画面生成部１３は全ての患者５の生体情報及び日常生活の詳細を表示するデータを生成する。
【００４７】
一方、評価画面５００を閲覧する医療従事者が看護師７であった場合、評価画面生成部１３は、評価画面５００において第１閾値５０５より値（図５の例では、生体情報の中での収縮期血圧）が低い患者５に対してのみ、患者５の生体情報および日常生活の詳細を閲覧する事を許可する設定とする。すなわち、医療従事者識別部１１で識別した結果により、接続要求を行ったユーザが看護師のＩＤの者であった場合、評価画面生成部１３は、第１記憶部１６に保存された患者データの収縮期血圧が第１閾値５０５より低いか否かを判別し、第１閾値５０５より低い患者５のデータのみを抽出し、評価画面５００を生成する。
【００４８】
更に、評価画面５００を閲覧する医療従事者が介護関係者８であった場合、評価画面生
成部１３は、評価画面５００において第２閾値５０６より値が低い患者５に対してのみ、患者５の生体情報および日常生活の詳細を閲覧する事を許可する設定とする。すなわち、医療従事者識別部１１で識別した結果により、接続要求を行ったユーザが介護関係者のＩＤの者であった場合、評価画面生成部１３は、第１記憶部１６に保存された患者データの収縮期血圧が第２閾値５０６より低いか否かを判別し、第２閾値５０６より低い患者５のデータのみを抽出し、評価画面５００を生成する。
【００４９】
以上の通り、医療従事者が、医師６、看護師７および介護関係者８の違いにより、患者５の生体情報の値により、対応可能な医療従事者が異なる場合がある。評価画面生成部１３は、この処理により、患者５の個人情報保護を行う共に、患者５の生体情報の値を見せる必要性のある医療従事者のみに対して、患者５の詳細を閲覧する事が可能とできる効果がある。
【００５０】
図７は医療従事者用クライアント装置３からサーバ装置１に評価画面５００を閲覧する要求があったときの処理フローを表す。
【００５１】
第１通信部１７は、ネットワーク４を介して医療従事者用クライアント装置３からの接続要求を受信する（ステップＳ７０１）。
【００５２】
接続要求を受信すると、医療従事者識別部１１は第１記憶部１６の登録内容を参照して、医療従事者用クライアント装置３のユーザが医師６、看護師７、または介護関係者８のいずれかを識別する（ステップＳ７０２）。
【００５３】
次に第１通信部１７は、ネットワーク４を介して医療従事者用クライアント装置３から、医療従事者が選択した縦軸５１３の大分類５１１ａと詳細分類５１２ａ、および横軸５１４の大分類５１１ｂと詳細分類５１２ｂの情報を受信し、第１制御部１５がその選択した内容を受け付ける（ステップＳ７０３）。
【００５４】
次に経時変化率算出部１２は、第１記憶部１６に保存してある患者５の生体情報又は日常行動に関する情報のうち、第１制御部１５が受け付けた詳細分類５１２ａ又は／及び詳細分類５１２ｂに該当する項目のデータを読み込み、患者ごとの経時変化率を算出する（ステップＳ７０４）。このとき、経時変化率算出部１２が算出した患者ごとの経時変化率は、それぞれの患者と紐付けて第１記憶部１６に保存する。
【００５５】
なお、このステップＳ７０４は、上記に説明したとおり、医療従事者用クライアント装置３からの接続要求を受けた後に行ってもよいが、接続要求が無い場合でも所定時間間隔でステップＳ７０４の処理を行い、経時変化率算出部１２が算出した患者ごとの経時変化率をそれぞれの患者と紐付けて第１記憶部１６に保存しておき、接続要求があったときに、ステップＳ７０４を省略して、後述するステップＳ７０５の処理を行っても良い。このようにすることで、接続要求があったときの算出時間を短縮することができ、処理速度を上げることができる。
【００５６】
次に、評価画面生成部１３は、ステップＳ７０３で受け付けた評価項目に基づいた生体情報又は日常行動などのデータを読み込み、経時変化率算出部１２が算出した患者ごとの経時変化率とあわせて、各患者の生体情報又は日常行動を評価項目軸でグラフ化するデータを生成する（ステップＳ７０５）。
【００５７】
そして、評価画面生成部１３が作成したデータを第１通信部１７から、接続要求のあった医療従事者用クライアント装置３へ送信する（ステップＳ７０６）。
【００５８】
図８は評価画面５００における評価軸の構成を示す。図８において、評価軸の大分類５１１として、“生体情報”、“日常行動”、“疾病知識”がある。ここで、疾病知識とは、所定の疾病に関する知識であり、例えば問診形式で疾病に関するいくつかの問題に対する回答を患者５に入力させ、その採点した結果の点数で知識レベルを判断する。この回答の入力を受け付ける回答入力部（図示せず）は、例えば生体情報入力部２１又は日常行動入力部２２と同様に第２制御部２５に接続され、第１制御部１５に接続される採点部（図示せず）で採点を行って、その結果の点数を第１記憶部１６に患者５のＩＤと対応付けて保存するものであってもよい。また、評価軸の詳細分類５１２は、大分類５１１の内容により異なった項目が選択可能である。この医療従事者は、立場に応じて評価軸を選択し、これにより医療従事者の属性に適した所望の評価軸に対してリスクのある患者５を抽出する事が出来る。例えば、医師６は、評価画面５００を用いて患者５の既往症、生体情報および日常行動に基づいてリスクのある患者５を評価および抽出する。一方、介護関係者８は、患者の生体情報に関しては医師６又は看護師７の診断および判断に任せて、主に日常行動に関してリスクの有る患者５の評価および抽出を行う事が可能となる。特に、介護関係者８は患者５に接する機会が多い為、生活習慣病に関連した日常行動に対して状況把握および指導が出来、なおかつ患者５の生体情報は閲覧および参照できない設定により、個人情報保護の両立が出来る効果がある。
【００５９】
図９は、本発明の実施の形態１における評価画面５００における個体マーク５０１にマウスカーソルを置いた状態を示す。ここで、マウスとは医療従事者用クライアント装置３の第３入力部３４に付属する入力手段であるマウスであり、マウスカーソル９０１とは第３表示部３８に表示された画面上におけるマウスの位置表示する画像部品である。
【００６０】
医療従事者がマウスカーソル９０１を、個体マーク５０１の上に置くと、第３制御部３５が第３通信部３７からネットワーク４を介して第１通信部１７に個体マーク５０１がマウスカーソル９０１が選択した個体マークであることを伝達する。第１制御部１５は、第１通信部１７から入力される個体マーク情報により、第１記憶部１６に保存されている個体マーク５０１に対応する患者５に関する詳細情報９０３のデータを評価画面生成部１３に読み出し、第３表示部３８に詳細情報９０３を表示する。この個体マーク５０１の詳細情報とは、例えば名前、年齢などである。
【００６１】
医療従事者は、個体マーク５０１に関する詳細情報９０３を確認する事により、個体マーク同士の位置関係とそれぞれの個体マークの変化率とともに、患者の名前などを短時間で確認する事が可能となる効果がある。なお、詳細情報９０３に、評価項目に対する経時変化率を数値で表示しても良い。経時変化率を数値で表示する事により、患者の評価項目に対する傾向線の傾きだけでなく、医療従事者が定量化した情報に基づいて患者のリスクを適切に診断できる効果がある。
【００６２】
図９の領域９０２は、個体マーク５０１および他の個体マークが重なった領域を示し、図１０と図１１では、この領域９０２を用いて固体マーク同士が重なっているときの処理について説明する。
【００６３】
図１０は、本発明の実施の形態１における評価画面５００における個体マーク５０１が重なった場合の領域９０２に対する、評価画面生成部１３が有する画像メモリを、階層的に示した概念斜視図を表す。図１０（ａ）は、医療従事者用クライアント装置３において、医療従事者が第３表示部３８の画面上にある個体マーク５０１を選択（例えばクリック）する前を表し、図１０（ｂ）は、医療従事者が個体マーク５０１を選択した後を表す。
【００６４】
まず評価画面生成部１３は、個体マーク５０１および他の個体マークが重なった領域９０２において、個体マークを表示する層（レイヤー）を決定する。この時、個体マーク５
０１の経時変化率に基づいて表示順序を決める。例えば、図９および図１０における傾向線は、第１評価項目として収縮期血圧の経時変化を示す。対象とする患者５が高血圧患者の場合は、血圧が上昇傾向にある患者が重症化するリスクが高い為、個体マークが重なった領域９０２においては、血圧の経時変化率が大きい順、すなわち個体マークの傾向線の傾きが大きい順に、最上位の層として表示を行う。この処理により、医療従事者が、個体マーク５０１および他の個体マークが重なった領域９０２においても、重症化するリスクの高い患者を見落とす事を防止する効果がある。
【００６５】
更に、医療従事者が固体マーク５０１を選択した場合、第３入力部３４がその選択したという情報を受付け、第３制御部３５がその情報を第３通信部３７に伝達し、第３通信部３７はその情報をネットワーク４を介して第１通信部１７へ伝達する。第１制御部１５は第１通信部１７が受け付けた情報を評価画面生成部１３へ伝達する。評価画面生成部１３は、医療従事者が個体マーク５０１を選択した情報を受け付けると、個体マーク１００１を表示する層（レイヤー）を最下層に変更したデータを生成し、そのデータを第３表示部３８が表示する。この処理によれば、例えば医療従事者が何らかの対応をした患者についてその患者の個体マークを選択するようにすれば、選択した固体マークが最下層に変更されていくので、評価画面５００の上位層に未対応の患者５が集中し、医療従事者による未対応の患者５を見落とす事を防止する効果がある。ここで、医療従事者による患者への対応とは、患者への訪問による直接的な対話、および電話におる音声などの間接的な対話、または電子メールなど情報伝達を行う行為等を表し、医療従事者による未対応とは、前記した対応が一定期間されていない行為を表す。
【００６６】
更に、評価画面生成部１３は、医療従事者が個体マーク５０１を選択する前は、個体マーク５０１の外周部を円形としていたが、医療従事者が選択した入力を受け付けた後は個体マーク５０１の外周部の形状を多角形（例えば、四角形）に変更して個体マーク１００１としている。この個体マーク５０１の形状を変更する事により、医療従事者が患者５に対応済みか未対応なのかを容易に判断する事が可能となり、また医療従事者が忘れることなく定期的に対応する事による患者５への安心感を提供できる効果がある。
【００６７】
なお、個体マーク５０１を選択した後に、個体マーク５０１の外周部の形状を変化する処理は、医療従事者が例えば医師または看護師など、ある条件を満たすユーザのみに限ることもできる。このようにする事で、患者５に対して介護者ではなく、医師又は看護師による医療行為として対応済みなのか未対応なのかを判断する事が可能となる。
【００６８】
また、評価画面生成部１３は、個体マーク５０１の変更した形状(例えば、四角形)を、一定期間経過後（例えば、１週間後）に、元の形状（円形）に戻したデータを生成する。なお、ここでの一定期間とは、患者５の健康状態により対応が必要となる最長の期間として設定する事とする。この処理により、医療従事者が患者５へ一度対応した後に、再度一定期間後の対応を忘れる事を事前に防止する事が出来、患者に対しても必要な期間ごとに対応できることで医療従事者が常に見守っているという安心感を提供する事が可能となる。
【００６９】
図１１は、本発明の実施の形態１における評価画面５００において、医療従事者が個体マーク５０１をマウスで選択した後の状態を示す。評価画面生成部１３が、個体マーク５０１における外周部の形状を四角形に変更し、表示を最下層に変更し、個体マーク１００１として表示したことが確認できる。
【００７０】
図１２は、本発明の実施の形態１における評価画面５００を示す。評価画面５００の構成は図５と同様である。ここでは、医療従事者が個体マークを複数個選択した際の処理に関して説明を行う。
【００７１】
医療従事者は、評価画面５００の中でマウスカーソル９０１を点１２０１ａの位置に移動した後にマウスのボタンＡ(例えば、左ボタン)を押して、そのボタンＡを押した状態のままで点１２０１ｂへ移動して、評価画面５００において選択する領域１２０２を決定する。第３の入力部３４はこの選択された領域１２０２の情報を受け付け、第３制御部３５がその情報を第３通信部３７に伝達し、第３通信部３７はその情報をネットワーク４を介して第１通信部１７へ伝達する。第１制御部１５は第１通信部１７が受け付けた情報を評価画面生成部１３へ伝達する。次に、医療従事者は、マウスのボタンＢ（例えば、右ボタン）を押す。第３の入力部３４がマウスのボタンＢが押された情報を受け付け、第３制御部３５がその情報を第３通信部３７に伝達し、第３通信部３７はその情報をネットワーク４を介して第１通信部１７へ伝達する。第１制御部１５は第１通信部１７が受け付けた情報を評価画面生成部１３へ伝達する。すると、領域１２０２に該当するデータを持つ患者に対して行いたい動作の一覧を表示するデータを生成し、第３の表示部３８にそのデータを伝達して、第３の表示部３８は操作メニュー１２０３を表示する。医療従事者が、マウスを動かして、操作メニュー１２０３の項目へ移動した後にマウスのボタンＡを押した場合、第３の入力部３４から評価画面生成部１３へ選択した情報が伝達され、選択された領域１２０２に該当する評価項目のデータを有する患者データを抽出し、評価画面生成部１３は、操作メニュー１２０３の動作のうち選択したメニューの動作（例えば、対応済みマークへ変更した画面の作成、対象患者へのアドバイス一斉送信用画面の作成など）を実施する。
【００７２】
この処理を行う事により、まとめて同じ操作で対応する事が可能となり、例えば個別対応が不要である重症化するリスクの低い複数の患者に対して、まとめて操作することができるので医療従事者の作業効率向上という効果がある。
【００７３】
なお、医療従事者が個体マーク５０１を選択した後は、個体マーク５０１に関連付けされた患者詳細画面へ遷移する。この患者詳細画面の一例について図１３、図１４、図１５を用いて説明する。
【００７４】
図１３は、本発明の実施の形態１における医師６が参照する患者詳細画面１３００を示す。
【００７５】
医療従事者用クライアント装置３において第３入力部３４で医師６が評価画面５００における個体マーク５０１を選択すると、第３制御部３５が第３通信部３７を介して第１制御部１５に伝達し、第１制御部１５がこの選択された個体マーク５０１に関連付けられた患者５の情報を第１記憶部１６から読み出す。さらに、第１制御部１５が第１記憶部１６より、現在接続している医療従事者用クライアント装置３のユーザの情報を読み出し、評価画面生成部へその情報を伝達する。評価画面生成部１３は、そのユーザが医師であった場合に、後述する患者詳細画面１３００に示すような画面データを生成し、第１制御部１５が第１通信部１７から医療従事者用クライアント装置３の第３通信部３７へデータを伝達し、第３制御部３５を介して第３表示部３８に患者詳細画面１３００を表示する。
患者詳細画面１３００の構成は、患者個人情報１３０１、生体情報１３０２ａおよび１３０２ｂ、日常行動情報１３０３から成る。
【００７６】
なお、患者個人情報１３０１とは、氏名、年齢、生年月日、性別、住所、連絡先(電話、ＦＡＸ、メール)、既往症、服薬情報などを含む。
【００７７】
生体情報１３０２ａは、横軸が時間軸で縦軸が生体情報の測定結果であるグラフを示す。なお、生体情報１３０２ｂは、生体情報１３０２ａと異なる生体情報の中で、例えば医師６および看護師７にのみ開示して介護関係者８には開示する必要性が低い情報、または
患者５の個人情報保護の観点から医療関係者のみに開示する情報を表してもよい。ここでは、所定期間１３０４の生体情報の測定結果を直線でつないだものを実線１３０５（生体情報１３０２ｂの場合は実線１３０７）とし、経時変化率算出部１２で算出した経時変化率に基づく経時変化を破線１３０６（生体情報１３０２ｂの場合は破線１３０８）としている。生体情報１３０２ａ及び生体情報１３０２ｂで表示するデータの期間は、予め設定されていてもよいし、医療従事者用クライアント装置３の第３入力部３４で期間の設定について受け付け、第３制御部３５及び第３通信部３７を通じて、ネットワーク４を介して第１通信部１７へ伝達し、第１制御部１５を通じて経時変化率算出部１２で期間の設定について受け付け、設定してもよい。
【００７８】
更に、日常行動情報１３０３は、横軸が時間軸で、縦軸が日常行動（一例として、服薬、減塩、運動、食事量の減量など）の実施結果を患者５が質問に対して回答を入力した情報を示す。ここでは、回答結果が実施もしくは未実施などの選択肢が２つの一例であるが、選択肢を複数にする事も可能であり、また数値（例えば、歩数計で測定した１日の歩数）としても良い。
【００７９】
医師６は、対象となる患者５の患者個人情報１３０１、生体情報１３０２ａおよび１３０２ｂ、日常行動情報１３０３を参照する事により、患者５へ日常行動指導、服薬処方などを含む診断行為を実施する。評価画面生成部１３は、医師６が患者５の重症化を診断する為に、例えば日常行動の実施結果よりも生体情報１３０２ａおよび１３０２ｂを患者詳細画面１３００の上部において表示することが好ましい。
【００８０】
図１４は、本発明の実施の形態１における看護師７が参照する患者詳細画面１４００を示す。医療従事者用クライアント装置３において第３入力部３４で看護師７が評価画面５００における個体マーク５０１を選択すると、第３制御部３５が第３通信部３７を介して第１制御部１５に伝達し、第１制御部１５がこの選択された個体マーク５０１に関連付けられた患者５の情報を第１記憶部１６から読み出す。さらに、第１制御部１５が第１記憶部１６より、現在接続している医療従事者用クライアント装置３のユーザの情報を読み出し、評価画面生成部へその情報を伝達する。評価画面生成部１３は、そのユーザが看護師であった場合に、後述する患者詳細画面１４００に示すような画面データを生成し、第１制御部１５が第１通信部１７から医療従事者用クライアント装置３の第３通信部３７へデータを伝達し、第３制御部３５を介して第３表示部３８に患者詳細画面１４００を表示する。
【００８１】
看護師７は、患者５の生体情報を参照する事により、健康状態を把握して日常生活指導に活用する。看護師７は、医師６が診断行為に重点を置くのと異なり、日常生活指導に重点を置く。その為、評価画面生成部１３は、看護師８が日常行動情報１３０３を参照容易とする為、例えば生体情報１３０２ａや１３０２ｂよりも日常行動情報１３０３を患者詳細画面１４００の上部において表示することが好ましい。なお、患者個人情報１３０１、生体情報１３０２ａおよび１３０２ｂ、日常行動情報１３０３の詳細については図１３を用いて説明したものと同様であり、ここでは説明を省略する。
【００８２】
図１５は、本発明の実施の形態１における介護関係者８が参照する患者詳細画面１５００を示す。医療従事者用クライアント装置３において第３入力部３４で介護関係者８が評価画面５００における個体マーク５０１を選択すると、第３制御部３５が第３通信部３７を介して第１制御部１５に伝達し、第１制御部１５がこの選択された個体マーク５０１に関連付けられた患者５の情報を第１記憶部１６から読み出す。さらに、第１制御部１５が第１記憶部１６より、現在接続している医療従事者用クライアント装置３のユーザの情報を読み出し、評価画面生成部へその情報を伝達する。評価画面生成部１３は、そのユーザが介護関係者であった場合に、後述する患者詳細画面１５００に示すような画面データを
生成し、第１制御部１５が第１通信部１７から医療従事者用クライアント装置３の第３通信部３７へデータを伝達し、第３制御部３５を介して第３表示部３８に患者詳細画面１５００を表示する。介護関係者８は、医師６および看護師７の医療行為には関与せず、患者の日常生活を支援する目的で、日常行動情報１３０３を参照する。看護師７は、医師６が診断行為に重点を置くのと異なり、日常生活指導に重点を置く。その為、評価画面生成部１３は、例えば介護関係者８へ参照する必要性が低い生体情報１３０２ｂを非表示とし、生体情報１３０２ｂよりも日常行動情報１３０３を患者詳細画面１５００の上部において表示することが好ましい。なお、患者個人情報１３０１、生体情報１３０２ａ、日常行動情報１３０３の詳細については図１３を用いて説明したものと同様であり、ここでは説明を省略する。
【００８３】
以上の処理により、医師６、看護師７、介護関係者８という立場の異なる医療従事者に対して、患者５の個人情報を保護しつつ、医療従事者に対して必要な情報を提供する事が更に容易に可能となる。
【００８４】
図１６に医療従事者が個体マーク５０１を選択した場合に個体マーク５０１に関連付けされた患者詳細画面へ遷移するときのサーバ装置１の処理フローを示す。
第１通信部１７は、ネットワーク４を介して医療従事者用クライアント装置３からの個体マークの選択を受信する（ステップＳ１６０１）。
【００８５】
個体マークの選択を受信すると、医療従事者識別部１１は第１記憶部１６の登録内容を参照して、医療従事者用クライアント装置３のユーザが医師６、看護師７、または介護関係者８のいずれかを識別する（ステップＳ１６０２）。
【００８６】
次に評価画面生成部１３は、第１記憶部１６から選択された個体マークに対応する個人情報、生体情報又は日常行動、及びステップＳ７０４で算出し第１記憶部１６に保存していた経時変化率を読み込み、患者詳細画面のデータを作成する（ステップＳ１６０３）。
【００８７】
そして、評価画面生成部１３が作成したデータを第１通信部１７から、接続要求のあった医療従事者用クライアント装置３へ送信する（ステップＳ１６０４）。
【産業上の利用可能性】
【００８８】
本発明にかかる評価画面生成システムは、医療従事者が遠隔から複数の患者に対する患者状態を確認する在宅医療支援システムにおいて、医療従事者が複数の患者の中から重症化するリスクの高い患者を抽出支援する評価画面生成システムの技術として有用である。
【符号の説明】
【００８９】
１      サーバ装置
２      患者用クライアント装置
３      医療従事者用クライアント装置
４      ネットワーク
５      患者
６      医療従事者（医者）
７      医療従事者（看護師）
８      医療従事者（介護関係者）
１１    医療従事者識別部
１２    経時変化率算出部
１３    評価画面生成部
１５    第１制御部
１６    第１記憶部
１７    第１通信部
２１    生体情報入力部
２２    日常行動入力部
２５    第２制御部
２７    第２通信部
２８    第２表示部
３４    第３入力部
３５    第３制御部
３７    第３通信部
３８    第３表示部
４０１  所定期間
４０２、４０４  経時変化
４０３、４０５  近似直線
５００  評価画面
５０１、５０２、５０３  個体マーク
５０５  第１閾値
５０６  第２閾値
５１１、５１１ａ、５１１ｂ  評価項目の大分類
５１２、５１２ａ、５１２ｂ  評価項目の詳細分類
５１３  縦軸
５１４  横軸
５０１ａ  個体マークの外周部
５０１ｂ  固体マークの経時変化表示部
５０１ｅ  固体マークの第１経時変化表示部
５０１ｆ  個体マークの第２経時変化表示部
５０１ｃ  個体マークの背景部
６０１  個体マークの水平線
６０２  個体マークにおける水平線と経時変化表示部との角度
９０１  マウスカーソル
９０２  個体マークが重なった領域
９０３  患者５に関する詳細情報
１００１  個体マーク（対応済み）
１２０１ａ、１２０１ｂ  マウスで指定する点
１２０２  マウスで選択する領域
１３００  患者詳細画面（医師用）
１３０１  患者個人情報
１３０２ａ、１３０２ｂ  生体情報
１３０４  所定期間
１３０５  生体情報の経時変化
１３０６  近似直線
１４００  患者詳細画面（看護師用）
１５００  患者詳細画面（介護関係者用）
【図１】
2014140521.tif 000003
【図２】
2014140521.tif 000004
【図３】
2014140521.tif 000005
【図４】
2014140521.tif 000006
【図５】
2014140521.tif 000007
【図６】
2014140521.tif 000008
【図７】
2014140521.tif 000009
【図８】
2014140521.tif 000010
【図９】
2014140521.tif 000011
【図１０】
2014140521.tif 000012
【図１１】
2014140521.tif 000013
【図１２】
2014140521.tif 000014
【図１３】
2014140521.tif 000015
【図１４】
2014140521.tif 000016
【図１５】
2014140521.tif 000017
【図１６】
2014140521.tif 000018